(57)【要約】【課題】  カイロが挿入されている手袋を覆うカバーで手袋をした状態で手袋の上からカバーすることで、カイロで手袋ごと温めることが出来る。さらに、カイロで手袋ごと温める必要がないときは、手袋カバーを折り畳んだ状態で固定できるので小型で持ちやすいカイロ袋になるという２通りの使い方が出来る手袋カバーを提供することである。【解決手段】袋本体１の内部に袋形状のカイロ収納部４がありカイロ５が挿入され、マジックテープ３により、袋本体１を折り畳んで固定することで小型になる手袋カバー。【選択図】図２
2016011482.tif 000002
【特許請求の範囲】
【請求項１】
袋本体と
前記袋本体の内部に構成されたカイロ収納部と
前記袋本体を折り畳んだ状態で固定する折り畳み固定部と
を有することを特徴とした手袋カバー。
【請求項２】
前記折り畳み固定部はマジックテープ、ボタン、紐、ファスナーのいずれか、または組み合わせであることを特徴とした請求項１に記載の手袋カバー。
【請求項３】
前記袋本体と前記カイロ収納部は伸縮性のある布からなり前記袋本体と前記カイロ収納部を固定するカイロ固定部は前記カイロ収納部の四隅を固定することを特徴とした請求項１に記載の手袋カバー。
【請求項４】
前記袋本体と前記カイロ収納部は伸縮性のある布からなり前記袋本体と前記カイロ収納部を固定するカイロ固定部は前記袋本体の指先が位置する先端側に前記カイロ収納部の一辺を固定することを特徴とした請求項１に記載の手袋カバー。
【請求項５】
前記カイロ収納部はカイロ挿入口が１つの袋形状またはカイロ挿入口が２つの筒形状であることを特徴とした請求項１に記載の手袋カバー。
【発明の詳細な説明】
【技術分野】
【０００１】本発明は、内部にカイロを収納できる手袋に被せるカバーに関するものである。
【背景技術】
【０００２】従来、手袋の内部に使い捨てカイロを入れる個所を設け、手の指を温めるものが提供されている。
【先行技術文献】
【０００３】
【特許文献１】特許３９８８９５４号広報
【発明の概要】
【発明が解決しようとする課題】
【０００４】ところで、冬の寒い日に自宅から最寄りの電車の駅まで自転車通勤するときは、指に冷風があたるため手袋の内部に使い捨てカイロを構成した手袋はとても温かく便利である。しかし、これらの手袋は手袋内部に使い捨てカイロを固定するカイロ収容部を構成しているため手袋の形状が大きくなるという問題があり、さらに人差し指、中指、薬指及び小指の４本の指をまとめて覆うように手袋を構成しないと市販の使い捨てカイロが入らないので、人差し指、中指、薬指及び小指の４本の指が別々に動かないので指の操作性が悪くなり、電車の中で本を読もうとするときに本のページがめくりにくいという問題があった。【０００５】本発明の目的は、かかる従来技術の課題を解決し、必要な時のみに手袋の上からカイロを着脱することが出来る手袋カバーを提供することである。
【課題を解決するための手段】
【０００６】上記目的を達成するため、本発明に係る手袋カバーは、袋本体と前記袋本体の内部に構成されたカイロ収納部と前記袋本体を折り畳んだ状態で固定する折り畳み固定部とを備えることを特徴とする。
また、前記折り畳み固定部はマジックテープ、ボタン、紐、ファスナーのいずれか、または組み合わせであることが好ましい。
また、前記袋本体と前記カイロ収納部は伸縮性のある布からなり前記袋本体と前記カイロ収納部を固定するカイロ固定部は前記カイロ収納部の四隅を固定することを特徴とする。
さらに、前記袋本体と前記カイロ収納部は伸縮性のある布からなり前記袋本体と前記カイロ収納部を固定するカイロ固定部は前記袋本体の指先が位置する先端側に前記カイロ収納部の一辺を固定することを特徴とする。
また、前記カイロ収納部はカイロ挿入口が１つの袋形状またはカイロ挿入口が２つの筒形状であることが好ましい。
【発明の効果】
【０００７】  本発明の手袋カバーは、次のような効果がある。
手袋をした状態で手袋の上から本発明の手袋カバーをすることで、カイロで手袋ごと温めることが出来る手袋カバーになる。さらに、電車内などカイロで手袋ごと温める必要がないときは、手袋カバーを折り畳んだ状態で固定できるので小型で持ちやすいカイロ袋になるという２通りの使い方が出来るという効果がある。
【図面の簡単な説明】
【０００８】
【図１】（ａ），（ｂ）は本発明の実施例１における手袋カバーの正面図（ａ）と背面図（ｂ）。
【図２】は本発明の実施例１における手袋カバーのＣ−Ｃ断面図。
【図３】（ａ），（ｂ）は本発明の実施例１における手袋カバーを折り畳んだ状態での正面図（ａ）と側面図（ｂ）。
【図４】（ａ），（ｂ）は本発明の実施例１における手袋をした手を手袋カバーに入れた状態での手袋カバーのＤ−Ｄ断面図。
【図５】（ａ），（ｂ）は本発明の実施例１における手袋カバーの装着図。
【図６】は本発明の実施例２における手袋カバーを裏返した状態の正面図。
【図７】は本発明の実施例３における手袋カバーの正面図。
【発明を実施するための形態】
【０００９】  以下に図面を用いて本発明に係る実施の形態につき詳細に説明する。また、本発明はこれらの図面に限定されるものではない。さらに、図面に付した符号は、異なる図面においても同じ名称の部分には同じ符号を用いた。
【実施例１】
【００１０】図１〜図５は本発明の実施例１であり、図１（ａ）は手袋カバーの正面図であり、図１（ｂ）は手袋カバーの背面図であり、図２は本発明の実施例１における手袋カバーのＡ−Ａ断面図である。各構成は袋本体１、リボン２、マジックテープ３、袋形状のカイロ収納部４、使い捨てカイロ５、カイロ固定部６、手袋７、手首８、カイロ挿入口１１である。
実施例１となる手袋カバーの構成は、図２より袋本体１の内部に、袋形状のカイロ収納部４がカイロ固定部６により縫い付けられ、袋形状のカイロ収納部４の中にカイロ挿入口１１からカイロ５を入れる。【００１１】ここで、カイロ固定部６は袋形状のカイロ収納部４の四隅のみに糸で縫いつけられている。これは袋本体１と袋形状のカイロ収納部４は伸縮性の高い布、例えばポリエステル製布やポリウレタン製布などからなるので、伸びない糸で縫うと伸縮性の高い布が伸びにくく、糸が切れてしまうという問題があった。しかし袋形状のカイロ収納部４の四隅のみに糸で縫いつけることで、糸を縫い付ける長さが短くなることで伸縮性の高い布が伸びやすくなるという効果がある。もちろん従来行われている伸縮性のある糸例えばレジロン糸を使用したり、縫い方を千鳥縫いやジグザグ縫いにより伸縮性の高い布を縫うことで糸が切れないようにしても良い。
また、リボン２はデザインであるので付けても付けなくても良いが図１で示すように正面側にリボン２を付け背面側に折り畳み固定部３を付けることで、どちら側に折り畳むかが判りやすくなる目印になる。【００１２】手袋カバーの素材に伸縮性の高い布を使用することで、大きい手袋や小さい手袋などのサイズを気にしなくても手袋を袋本体１の中に入れることが出来るという効果がある。
さらに、カイロ収納部４の四隅を固定することで図４（ａ）（ｂ）が示すように、カイロ収納部４と袋本体１の間に隙間が出来るため図４（ａ）ではカイロ収納部４の上で右手の指の指紋側をあてて温めることが出来る。また図４（ｂ）では、カイロ収納部４と袋本体１の間の隙間に指を入れることで右手の指の爪側をカイロ収納部４にあてて温めることが出来るので、必要に応じて指のどちら側を温めるか選ぶことが出来るという効果もある。【００１３】さらに図１（ｂ）の手袋カバーの背面図より折り畳み固定部となるマジックテープ３が袋本体１の背面側の上部に一箇所と下部に一箇所縫い付けられている。
この袋本体１を半分に折り畳むと図３（ａ）が示すようにマジックテープ３が合わさることで折り畳んだ位置に固定されるので、図３（ｂ）が示すコンパクトなカイロケースとして使用することが出来る。
図５（ａ）は手に手袋７をした状態で袋本体１に挿入している状態図で、図５（ｂ）は手に手袋７をした状態で袋本体１に挿入が完了した図である。このように手袋の大きさが異なっていても、袋本体１とカイロ収納部は伸縮性の布を使用しているので、装着することが可能であるという効果がある。
【実施例２】
【００１４】図６は本発明の実施例２における手袋カバーを裏返した状態の正面図である。
筒形状のカイロ収納部９はカイロ挿入口１１が２箇所あり、さらに筒形状のカイロ収納部９を固定するカイロ固定部６は袋本体１の指先が位置する先端側の位置に筒形状のカイロ収納部９の筒の穴方向に対して平行でかつ袋本体１に手を入れたときに指がカイロで温まる位置になるように筒形状のカイロ収納部９の一辺を糸で縫い付けて固定する。
このように一辺のみを固定することで、筒形状のカイロ収納部９が移動できるため、指の爪側に筒形状のカイロ収納部９を移動させたり、筒形状のカイロ収納部９を指の指紋側に移動させることができるので、指の爪側か指の指紋側のどちらかを選らんで温めることが出来るという効果がある。
図７は本発明の変形例で親指付袋本体１０が異なる。これは親指を入れるように袋本体の形状が異なり手袋をした状態で手袋カバーをしても装着しやすいという効果がある。
【符号の説明】
【００１５】袋本体１、リボン２、マジックテープ３、袋形状のカイロ収納部４、使い捨てカイロ５、カイロ固定部６、手袋７、手首８、筒形状のカイロ収納部９、親指付袋本体１０、カイロ挿入口１１
【図１】
2016011482.tif 000003
【図２】
2016011482.tif 000004
【図３】
2016011482.tif 000005
【図４】
2016011482.tif 000006
【図５】
2016011482.tif 000007
【図６】
2016011482.tif 000008
【図７】
2016011482.tif 000009